(57)【要約】【課題】レセプトや帳票紙等の書類に記載された情報の読取処理の速度を増大することができる読取装置および読取方法を提供すること。【解決手段】読取装置１００の給紙装置１３０は、複数の種類のレセプト１６０，１６１と異なる種類のレセプト１６０，１６１の間に挿入され複数の紙を重ねて接着してなる仕切り紙１７０とが載置される紙載置台１１０を具備する。紙搬送装置１３１は、紙載置台１１０に載置されている紙をＯＣＲユニット１４０に搬送する。紙搬送装置１３１により搬送される紙のうち２枚以上の紙が同時に搬送されることを検出して紙重送検出信号を生成する。紙搬送制御装置１３４は、紙重送検出装置１３３からの前記紙重送検出信号を受けたときに紙搬送装置１３１の搬送動作を停止させる。【選択図】図１
2008222369.tif 000002
【特許請求の範囲】
【請求項１】
複数の種類の書類を含む紙が載置される紙載置台と、
前記紙載置台に載置されている前記紙に記載された情報を読み取る読取ユニットに搬送する紙搬送装置と、
前記紙搬送装置により搬送される先行の前記紙に対し後続の紙の厚さ、大きさ、形状又は色が異なるときに当該後続の紙を異種紙として検出して異種紙検出信号を生成する異種紙検出装置と、
前記異種紙検出装置からの前記異種紙検出信号を受けたときに前記紙搬送装置の搬送動作を停止させる紙搬送制御装置と、
を具備することを特徴とする読取装置。
【請求項２】
複数の種類の帳票紙と、異なる種類の前記帳票紙の間に挿入され複数の紙を重ねて接着してなる仕切り紙とが載置される紙載置台と、
前記紙載置台に載置されている前記帳票紙に記載された情報および前記仕切り紙を光学的に読み取る読取ユニットに搬送する紙搬送装置と、
前記紙搬送装置により搬送される前記帳票紙および前記仕切り紙のうち２枚以上の紙が同時に搬送されることを検出して紙重送検出信号を生成する紙重送検出装置と、
前記紙重送検出装置からの前記紙重送検出信号を受けたときに前記紙搬送装置の搬送動作を停止させる紙搬送制御装置と、
を具備することを特徴とする読取装置。
【請求項３】
帳票紙を載置する紙載置台と、前記帳票紙を搬送する紙搬送装置と、紙が重なっていることを検出する紙重送検出装置と、前記紙搬送装置の搬送動作を制御する紙搬送制御装置とを具備する読取装置における読取方法であって、
前記紙載置台に複数の種類の前記帳票紙と、異なる種類の前記帳票紙の間に挿入され複数の紙を重ねて接着してなる仕切り紙とを載置する紙載置ステップと、
前記紙搬送装置が前記紙載置台に載置されている前記帳票紙に記載された情報および前記仕切り紙を光学的に読み取る読取ユニットに搬送する紙搬送ステップと、
前記紙搬送装置により搬送される前記帳票紙および前記仕切り紙のうち２枚以上の紙が同時に搬送されることを前記紙重送検出装置が検出して紙重送検出信号を生成する紙重送検出ステップと、
前記紙搬送制御装置が前記紙重送検出装置からの前記紙重送検出信号を受けたときに前記紙搬送装置の搬送動作を停止させる搬送動作停止ステップと、
を具備することを特徴とする読取方法。
【請求項４】
複数の種類の帳票紙と、異なる種類の前記帳票紙の間に挿入され仕切り識別情報が記載された仕切り紙とが載置される紙載置台と、
前記紙載置台に載置されている前記帳票紙および前記仕切り紙に記載された情報を光学的に読み取る読取ユニットに搬送する紙搬送装置と、
前記紙搬送装置により搬送される紙が前記仕切り紙であることを前記仕切り識別情報に基づいて検出して仕切り紙検出信号を生成する仕切り紙検出装置と、
前記仕切り紙検出装置からの前記仕切り紙検出信号を受けたときに前記紙搬送装置の搬送動作を停止させる紙搬送制御装置と、
を具備することを特徴とする読取装置。
【請求項５】
帳票紙を載置する紙載置台と、前記帳票紙を搬送する紙搬送装置と、仕切り紙を検出する仕切り紙検出装置と、前記紙搬送装置の搬送動作を制御する紙搬送制御装置とを具備する読取装置における読取方法であって、
前記紙載置台に複数の種類の前記帳票紙と、異なる種類の前記帳票紙の間に挿入され仕切り識別情報が記載された前記仕切り紙とを載置する紙載置ステップと、
前記紙搬送装置が前記紙載置台に載置されている前記帳票紙に記載された情報および前記仕切り紙の仕切り識別情報を光学的に読み取る読取ユニットに搬送する紙搬送ステップと、
前記紙搬送装置により搬送される紙が前記仕切り紙であることを前記仕切り識別情報に基づいて前記仕切り紙検出装置が検出して仕切り紙検出信号を生成する仕切り紙検出ステップと、
前記紙搬送制御装置が前記仕切り紙検出装置からの前記仕切り紙検出信号を受けたときに前記紙搬送装置の搬送動作を停止させる搬送動作停止ステップと、
を具備することを特徴とする読取方法。
【請求項６】
複数の種類の帳票紙と、異なる種類の前記帳票紙の間に挿入され次の読取対象のレセプト情報が記載された仕切り紙とが載置される紙載置台と、
前記紙載置台に載置されている前記帳票紙および前記仕切り紙の記載情報を光学的に読み取る読取ユニットに搬送する紙搬送装置と、
前記紙搬送装置により搬送される紙が前記仕切り紙であることを前記レセプト情報に基づいて検出して仕切り紙検出信号を生成する仕切り紙検出装置と、
前記仕切り紙検出装置からの前記仕切り紙検出信号を受けたときに前記紙搬送装置の搬送動作を停止させる紙搬送制御装置と、
を具備することを特徴とする読取装置。
【請求項７】
帳票紙を載置する紙載置台と、前記帳票紙を搬送する紙搬送装置と、仕切り紙を検出する仕切り紙検出装置と、前記紙搬送装置の搬送動作を制御する紙搬送制御装置とを具備する読取装置における読取方法であって、
前記紙載置台に複数の種類の帳票紙と、異なる種類の前記帳票紙の間に挿入され次の読取対象のレセプト情報が記載された仕切り紙とを載置する紙載置ステップと、
前記紙搬送装置が前記紙載置台に載置されている前記帳票紙および前記仕切り紙に記載された情報を光学的に読み取る読取ユニットに搬送する紙搬送ステップと、
前記紙搬送装置により搬送される紙が前記仕切り紙であることを前記レセプト情報に基づいて前記仕切り紙検出装置が検出して仕切り紙検出信号を生成する仕切り紙検出ステップと、
前記紙搬送制御装置が前記仕切り紙検出装置からの前記仕切り紙検出信号を受けたときに前記紙搬送装置の搬送動作を停止させる搬送動作停止ステップと、
を具備することを特徴とする読取方法。
【発明の詳細な説明】
【技術分野】
【０００１】
本発明は、例えば、レセプト（診療報酬明細書）を含む帳票紙などの書類に記載された情報を読み取る読取装置および読取方法に関するものである。
【背景技術】
【０００２】
従来の読取装置の１例として、特許文献１に記載されたレセプト処理装置等の文字認識装置がある。次に、この特許文献１に記載されたレセプト処理装置について概説する。
【０００３】
このレセプト処理装置は、紙載置台（ホッパ）と紙搬送装置と光学式文字読取部（スキャナ）とソータに設けられた複数の排出ポケットとを具備している。
【０００４】
前記紙載置台には、複数の種類のレセプトが載置される。前記紙搬送装置は、前記紙載置台に載置されているレセプトを１枚ずつ前記光学式文字読取ユニットに搬送する。前記光学式文字読取部は、前記紙搬送装置における紙搬送路のレセプトからイメージを読み取ってこのイメージに基づいて文字認識を行って電子ファイルを作成して記憶する。
【０００５】
イメージの読取処理が終了したレセプトは、ガイド装置により複数の排出ポケットのいずれかに収容される。レセプトが排出ポケットに収容された後に、前記レセプト処理装置は、次のレセプトの電子ファイル化の処理を行う。このようにして、前記レセプト処理装置は、例えば、保険者又は医療機関ごとにレセプトを分類して電子ファイル化している。
【０００６】
この従来のレセプト処理装置は、同種の複数のレセプトを処理する場合には、当該同種の複数のレセプトを紙載置台に載置して積み込み、かつ、当該同種の複数のレセプトのレセプト情報を操作入力装置により入力した後に、レセプトの処理を開始して実行する。
【０００７】
この従来のレセプト処理装置は、異なる種類の複数のレセプトを処理する場合には、異なる種類の複数のレセプトのうち同種の複数のレセプトを紙載置台に載置して積み込み、かつ、当該同種の複数のレセプトのレセプト情報を操作入力装置により入力した後に、レセプトの処理を開始して実行し、次に他の同種の複数のレセプトを紙載置台に載置して積み込み、かつ、当該他の同種の複数のレセプトのレセプト情報を操作入力装置により入力した後に、レセプトの処理を開始して実行する動作を繰り返すことになる。
【０００８】
【特許文献１】特開２００４−１６４３８１号公報
【発明の開示】
【発明が解決しようとする課題】
【０００９】
しかしながら、従来のレセプト処理装置（読取装置）においては、異なる種類の複数のレセプトを処理する場合には、異なる種類の複数のレセプトの種類ごとに複数のレセプトを紙載置台に載置して積み込む紙積込作業を行う必要があるため、この紙積込作業の時間にはレセプトの処理を行うことができないから、レセプトの処理速度が遅くなってしまうという問題がある。
【００１０】
例えば、従来のレセプト処理装置（読取装置）の１例であるイメージＯＣＲ装置は、１分間当たりに２００枚のレセプトの処理を行うことができる。実際の運用での１台のイメージＯＣＲ装置におけるレセプトの最低処理枚数の目標は、１日当たりに１００，０００枚以上である。したがって、従来のイメージＯＣＲ装置においては、レセプトの処理を行うことができない紙積込作業の時間の累積によりレセプトの処理速度が非常に遅くなってしまうという問題が生じる。
【００１１】
本発明の目的は、レセプトや帳票紙等の書類に記載された情報の読取処理の速度を増大することができる読取装置および読取方法を提供することにある。
【課題を解決するための手段】
【００１２】
本発明の請求項１に係る読取装置は、複数の種類の書類を含む紙が載置される紙載置台と、前記紙載置台に載置されている前記紙に記載された情報を読み取る読取ユニットに搬送する紙搬送装置と、前記紙搬送装置により搬送される先行の前記紙に対し後続の紙の厚さ、大きさ、形状又は色が異なるときに当該後続の紙を異種紙として検出して異種紙検出信号を生成する異種紙検出装置と、前記異種紙検出装置からの前記異種紙検出信号を受けたときに前記紙搬送装置の搬送動作を停止させる紙搬送制御装置と、を具備する。
【００１３】
本発明の請求項１に係る読取装置によれば、例えば、書類に対し厚さ、大きさ、形状又は色が異なる紙（異種紙）を準備し、かつ、複数の種類の書類と異なる種類の前記書類の間に挿入される前記異種紙とを紙載置台に載置して積み込む場合に、前記異種紙を検出して異種紙検出信号を生成して紙搬送装置の搬送動作を停止させることができる。このため、先行の同種の書類の読取処理中において後続の他の同種の書類を紙載置台に載置して積み込むことができるので、この紙積込作業の時間中に書類の読取処理を停止する必要がない。その結果、書類に記載された情報の読取処理の速度を増大することができる。
【００１４】
本発明の請求項２に係る読取装置は、複数の種類の帳票紙と、異なる種類の前記帳票紙の間に挿入され複数の紙を重ねて接着してなる仕切り紙とが載置される紙載置台と、前記紙載置台に載置されている前記帳票紙に記載された情報および前記仕切り紙を光学的に読み取る読取ユニットに搬送する紙搬送装置と、前記紙搬送装置により搬送される前記帳票紙および前記仕切り紙のうち２枚以上の紙が同時に搬送されることを検出して紙重送検出信号を生成する紙重送検出装置と、前記紙重送検出装置からの前記紙重送検出信号を受けたときに前記紙搬送装置の搬送動作を停止させる紙搬送制御装置と、を具備する。
【００１５】
本発明の請求項２に係る読取装置によれば、紙重送検出装置が仕切り紙を検出したときに紙重送検出信号を生成して紙搬送装置の搬送動作を停止させることができる。このため、先行の同種の帳票紙の読取処理中において後続の他の同種の帳票紙を紙載置台に載置して積み込むことができるから、この紙積込作業の時間中に帳票紙の読取処理を停止する必要がない。この結果、帳票紙に記載された情報の読取処理の速度を増大することができる。
【００１６】
本発明の請求項３に係る読取方法は、帳票紙を載置する紙載置台と、前記帳票紙を搬送する紙搬送装置と、紙が重なっていることを検出する紙重送検出装置と、前記紙搬送装置の搬送動作を制御する紙搬送制御装置とを具備する読取装置における読取方法であって、前記紙載置台に複数の種類の前記帳票紙と、異なる種類の前記帳票紙の間に挿入され複数の紙を重ねて接着してなる仕切り紙とを載置する紙載置ステップと、前記紙搬送装置が前記紙載置台に載置されている前記帳票紙に記載された情報および前記仕切り紙を光学的に読み取る読取ユニットに搬送する紙搬送ステップと、前記紙搬送装置により搬送される前記帳票紙および前記仕切り紙のうち２枚以上の紙が同時に搬送されることを前記紙重送検出装置が検出して紙重送検出信号を生成する紙重送検出ステップと、前記紙搬送制御装置が前記紙重送検出装置からの前記紙重送検出信号を受けたときに前記紙搬送装置の搬送動作を停止させる搬送動作停止ステップと、を具備する。
【００１７】
本発明の請求項３に係る読取方法によれば、紙重送検出装置が仕切り紙を検出したときに紙重送検出信号を生成して紙搬送装置の搬送動作を停止させることができる。このため、先行の同種の帳票紙の読取処理中において後続の他の同種の帳票紙を紙載置台に載置して積み込むことができるので、この紙積込作業の時間中に帳票紙の読取処理を停止する必要がない。その結果、帳票紙に記載された情報の読取処理の速度を増大することができる。
【００１８】
本発明の請求項４に係る読取装置は、複数の種類の帳票紙と、異なる種類の前記帳票紙の間に挿入され仕切り識別情報が記載された仕切り紙とが載置される紙載置台と、前記紙載置台に載置されている前記帳票紙および前記仕切り紙に記載された情報を光学的に読み取る読取ユニットに搬送する紙搬送装置と、前記紙搬送装置により搬送される紙が前記仕切り紙であることを前記仕切り識別情報に基づいて検出して仕切り紙検出信号を生成する仕切り紙検出装置と、前記仕切り紙検出装置からの前記仕切り紙検出信号を受けたときに前記紙搬送装置の搬送動作を停止させる紙搬送制御装置と、を具備する。
【００１９】
本発明の請求項４に係る読取装置によれば、紙搬送装置により搬送される紙が仕切り紙であることを仕切り識別情報に基づいて検出して仕切り紙検出信号を生成して紙搬送装置の搬送動作を停止させることができる。このため、先行の同種の帳票紙の読取処理中において後続の他の同種の帳票紙を紙載置台に載置して積み込むことができるので、この紙積込作業の時間中に帳票紙の読取処理を停止する必要がない。その結果、帳票紙の読取処理に記載された情報の速度を増大することができる。
【００２０】
本発明の請求項５に係る読取方法は、帳票紙を載置する紙載置台と、前記帳票紙を搬送する紙搬送装置と、仕切り紙を検出する仕切り紙検出装置と、前記紙搬送装置の搬送動作を制御する紙搬送制御装置とを具備する読取装置における読取方法であって、前記紙載置台に複数の種類の前記帳票紙と、異なる種類の前記帳票紙の間に挿入され仕切り識別情報が記載された前記仕切り紙とを載置する紙載置ステップと、前記紙搬送装置が前記紙載置台に載置されている前記帳票紙に記載された情報および前記仕切り紙の仕切り識別情報を光学的に読み取る読取ユニットに搬送する紙搬送ステップと、前記紙搬送装置により搬送される紙が前記仕切り紙であることを前記仕切り識別情報に基づいて前記仕切り紙検出装置が検出して仕切り紙検出信号を生成する仕切り紙検出ステップと、前記紙搬送制御装置が前記仕切り紙検出装置からの前記仕切り紙検出信号を受けたときに前記紙搬送装置の搬送動作を停止させる搬送動作停止ステップと、を具備する。
【００２１】
本発明の請求項５に係る読取方法によれば、紙搬送装置により搬送される紙が仕切り紙であることを仕切り識別情報に基づいて検出して仕切り紙検出信号を生成して紙搬送装置の搬送動作を停止させることができる。このため、先行の同種の帳票紙の読取処理中において後続の他の同種の帳票紙を紙載置台に載置して積み込むことができるので、この紙積込作業の時間中に帳票紙の読取処理を停止する必要がない。その結果、帳票紙に記載された情報の読取処理の速度を増大することができる。
【００２２】
本発明の請求項６に係る読取装置は、複数の種類の帳票紙と、異なる種類の前記帳票紙の間に挿入され次の読取対象のレセプト情報が記載された仕切り紙とが載置される紙載置台と、前記紙載置台に載置されている前記帳票紙および前記仕切り紙の記載情報を光学的に読み取る読取ユニットに搬送する紙搬送装置と、前記紙搬送装置により搬送される紙が前記仕切り紙であることを前記レセプト情報に基づいて検出して仕切り紙検出信号を生成する仕切り紙検出装置と、前記仕切り紙検出装置からの前記仕切り紙検出信号を受けたときに前記紙搬送装置の搬送動作を停止させる紙搬送制御装置と、を具備する。
【００２３】
本発明の請求項６に係る読取装置によれば、紙搬送装置により搬送される紙が仕切り紙であることをレセプト情報に基づいて検出して仕切り紙検出信号を生成して紙搬送装置の搬送動作を停止させることができる。このため、先行の同種の帳票紙の読取処理中において後続の他の同種の帳票紙を紙載置台に載置して積み込むことができるので、この紙積込作業の時間中に帳票紙の読取処理を停止する必要がない。その結果、帳票紙に記載された情報の読取処理の速度を増大することができる。
【００２４】
本発明の請求項７に係る読取方法は、帳票紙を載置する紙載置台と、前記帳票紙を搬送する紙搬送装置と、仕切り紙を検出する仕切り紙検出装置と、前記紙搬送装置の搬送動作を制御する紙搬送制御装置とを具備する読取装置における読取方法であって、前記紙載置台に複数の種類の帳票紙と、異なる種類の前記帳票紙の間に挿入され次の読取対象のレセプト情報が記載された仕切り紙とを載置する紙載置ステップと、前記紙搬送装置が前記紙載置台に載置されている前記帳票紙および前記仕切り紙に記載された情報を光学的に読み取る読取ユニットに搬送する紙搬送ステップと、前記紙搬送装置により搬送される紙が前記仕切り紙であることを前記レセプト情報に基づいて前記仕切り紙検出装置が検出して仕切り紙検出信号を生成する仕切り紙検出ステップと、前記紙搬送制御装置が前記仕切り紙検出装置からの前記仕切り紙検出信号を受けたときに前記紙搬送装置の搬送動作を停止させる搬送動作停止ステップと、を具備する。
【００２５】
本発明の請求項７に係る読取方法によれば、紙搬送装置により搬送される紙が仕切り紙であることをレセプト情報に基づいて検出して仕切り紙検出信号を生成して紙搬送装置の搬送動作を停止させることができる。このため、先行の同種の帳票紙の読取処理中において後続の他の同種の帳票紙を紙載置台に載置して積み込むことができるので、この紙積込作業の時間中に帳票紙の読取処理を停止する必要がない。その結果、帳票紙に記載された情報の読取処理の速度を増大することができる。
【発明の効果】
【００２６】
本発明に係る読取装置および読取方法によれば、先行の同種の帳票紙を含む書類に記載された情報の読取処理中において後続の他の同種の書類を紙載置台に載置して積み込むことができるので、この紙積込作業の時間中に書類に記載された情報の読取処理を停止する必要がない。その結果、帳票紙等の書類の読取処理の速度を増大させて、作業の効率化を図ることができる。
【発明を実施するための最良の形態】
【００２７】
次に、本発明の実施の形態について、図面を参照して詳細に説明する。
【００２８】
（実施の形態１）
図１は、本発明の実施の形態１に係る読取装置の構成を示す概略図である。図２は、本発明の実施の形態１に係る読取装置の給紙装置の構成を示すブロック図である。図３は、本発明の実施の形態１に係る読取装置の給紙装置における紙載置台を拡大して示す図である。
【００２９】
図１に示すように、本発明の実施の形態１に係る読取装置１００は、紙載置台１１０と、操作入力装置１２０と、給紙装置１３０と、光学式文字読取ユニット（ＯＣＲユニット）１４０と、複数の排出ポケット１５０と、を具備している。
【００３０】
図１および図３に示すように、紙載置台１１０は、複数の種類のレセプト１６０，１６１および仕切り紙１７０を含む紙を載置するためのものである。紙載置台１１０の後部には、バックプレート１１１が移動可能に配設されている。バックプレート１１１は、紙載置台１１０に載置される紙を支持するものである。バックプレート１１１が移動されることにより紙載置台１１０に載置される紙の量が調整されるようになっている。なお、紙載置台１１０に載置される紙（書類）は、レセプト１６０，１６１に限定されるものでなく、請求書や、他の帳票紙等の電子ファイル化する書面であってもよい。
【００３１】
操作入力装置１２０は、読取開始信号および読取終了信号を含む操作信号並びにレセプト１６０，１６１を電子ファイル化する処理をするのに必要な操作情報等を入力するためのものである。
【００３２】
図２に示すように、本発明の実施の形態１に係る読取装置１００の給紙装置１３０は、紙載置台１１０に載置されている紙を１枚ずつＯＣＲユニット１４０に給送するためのものである。この給紙装置１３０は、紙搬送装置１３１と、紙搬送路１３２に配置されている紙重送検出装置１３３と、紙搬送制御装置１３４と、を具備している。紙搬送制御装置１３４は、紙搬送装置１３１および紙重送検出装置１３３に接続されている。また、紙搬送制御装置１３４は、操作入力装置１２０に接続されている。
【００３３】
紙搬送制御装置１３４は、操作入力装置１２０からの読取開始信号を受けると、紙搬送装置１３１に紙の搬送動作を開始させる。紙搬送装置１３１は、紙載置台１１０に載置されている紙を１枚ずつ紙搬送路１３２を介してＯＣＲユニット１４０に搬送するためのものである。
【００３４】
紙重送検出装置１３３は、２枚以上の紙が同時に搬送されることを検出して紙重送検出信号を生成する。紙重送検出装置１３３は、例えば、フォトカプラおよび光読取処理回路を有し、この光読取処理回路がフォトカプラから受ける紙の透過光量と基準光量とを比較して当該紙の紙厚を検出することにより、２枚以上の紙が同時に搬送されることを検出して紙重送検出信号を生成する。
【００３５】
ＯＣＲユニット１４０は、給紙装置１３０により給送されてくる紙搬送路１３２のレセプト１６０，１６１から画像データを光学的に読み取ってこの画像データに基づいて文字認識を行って電子ファイルを作成して記憶する。画像データの読取処理が終了したレセプト１６０，１６１は、ガイド装置により複数の排出ポケット１５０のいずれかに収容される。
【００３６】
図１および図３に示す各レセプト１６０，１６１は、患者（被保険者）ごとに１枚ずつ作成されている。レセプト１６０とレセプト１６１とは、保険の種別等が異なる種類のものを種類ごとに区分けしてある。
仕切り紙１７０は、その異なる種類のレセプト１６０とレセプト１６１との間に挿入されて仕切るための部材である。なお、この仕切り紙１７０は、紙製のものに限定されるものではなく、例えば、レセプト１６０とレセプト１６１とを仕切ることが可能で、仕切ったことを仕切り紙検出装置２１１で検出することが可能な略シート状のものであればよく、材質や形状等は特に限定されない。
【００３７】
図４は、本発明の実施の形態１に係る読取装置において用いられる仕切り紙の１例を示す平面図である。図５は、本発明の実施の形態１に係る読取装置において用いられる仕切り紙の他の例を示す平面図である。図６は、本発明の実施の形態１に係る読取装置において用いられる仕切り紙のさらに他の例を示す平面図である。
【００３８】
図４に示すように、仕切り紙１７０は、３枚の紙１７１を重ねて３枚の紙１７１の一端部を接着テープ１７２で接着してなるものであってもよい。また、図５に示すように、仕切り紙１７０は、３枚の紙１７１を重ねて３枚の紙１７１の一端部を接着剤１７３で接着してもよい。さらに、図６に示すように、仕切り紙１７０は、３枚の紙１７１を重ねて３枚の紙１７１の一端部の一部を接着剤１７３やホチキス等で固定してもよい。なお、仕切り紙１７０は、２枚又は４枚の紙１７１を重ねて前述のように接着してもよい。また、仕切り紙１７０の紙１７１は、レセプト１６０，１６１と区別できるように色紙であることが望ましい。
【００３９】
仕切り紙１７０は複数の紙１７１を重ねて接着してなるものであるため、紙重送検出装置１３３は仕切り紙１７０を検出して紙重送検出信号を生成して紙搬送制御装置１３４に与える。紙搬送制御装置１３４は、紙重送検出装置１３３からの前記紙重送検出信号を受けたときに紙搬送装置１３１の搬送動作を停止させる。
【００４０】
次に、本発明の実施の形態１に係る読取装置１００の給紙装置１３０の動作を図２および図７に基づいて詳細に説明する。図７は、本発明の実施の形態１に係る読取装置１００の給紙装置１３０の動作を説明するためのフローチャートである。
【００４１】
図７に示すように、ステップＳＴ１０１において、紙搬送制御装置１３４は、操作入力装置１２０からの読取開始信号を受けたかを判断する。紙搬送制御装置１３４は、操作入力装置１２０からの読取開始信号を受けたときに、紙搬送装置１３１をＯＮとしてこの紙搬送装置１３１に紙の搬送動作を開始させる（ステップＳＴ１０２）。
【００４２】
次に、ステップＳＴ１０３において、紙搬送制御装置１３４は、紙重送検出装置１３３からの紙重送検出信号を受けたかを判断する。紙搬送制御装置１３４は、紙重送検出装置１３３からの紙重送検出信号を受けてないときに、ステップＳＴ１０２に戻って紙搬送装置１３１に紙の搬送動作を維持させる。一方、紙搬送制御装置１３４は、紙重送検出装置１３３からの紙重送検出信号を受けたときに、紙搬送装置１３１をＯＦＦとして（ステップＳＴ１０４）紙搬送装置１３１に紙の搬送動作を停止させてから、ステップＳＴ１０１へ戻る。
【００４３】
本発明の実施の形態１において、紙搬送装置１３１が仕紙搬送装置に仕切り紙１７０の搬送を停止させた後に、操作者は紙搬送装置１３１の紙搬送路１３２のこの仕切り紙１７０を除去してから操作入力装置１２０を操作してレセプト情報および読取開始信号等を入力して読取装置１００に次のレセプトの読取を実行させる。
【００４４】
なお、本発明の本発明の実施の形態１に係る読取装置１００の給紙装置１３０は、紙重送検出装置１３３の代わりに異種紙検出装置を設けて、この異種紙検出装置が紙搬送装置１３１により搬送される先行の帳票紙を含む書類に対し後続の紙の厚さ、大きさ、形状又は色が異なるときに当該後続の紙を異種紙として検出して異種紙検出信号を生成して紙搬送制御装置１３４に与え、かつ、紙搬送制御装置１３４が前記異種紙検出信号を受けたときに紙搬送装置１３１の搬送動作を停止させるように構成してもよい。
【００４５】
（実施の形態２）
図８は、本発明の実施の形態２に係る読取装置の構成を示す概略図である。図９は、本発明の実施の形態２に係る読取装置の給紙装置の構成を示すブロック図である。本発明の実施の形態２においては、本発明の実施の形態１と同じ構成要素には同じ符号を付してその説明を省略する。
【００４６】
図８に示すように、本発明の実施の形態２に係る読取装置２００は、本発明の実施の形態１において、紙重送検出装置１３３および紙搬送制御装置１３４の代わりに給紙装置２１０が仕切り紙検出装置２１１および紙搬送制御装置２１２を具備する。この構成以外の本発明の実施の形態２の構成は、本発明の実施の形態１と同じである。
【００４７】
すなわち、本発明の実施の形態２に係る読取装置２００は、紙載置台１１０と、操作入力装置１２０と、給紙装置２１０と、光学式文字読取ユニット（ＯＣＲユニット）１４０と、複数の排出ポケット１５０と、を具備している。
【００４８】
図８に示すように、仕切り紙２２０は、同じ種類にまとめられたレセプト１６０と、このレセプト１６０と異なる種類のレセプト１６１との間に挿入され、種類別に区切っている。仕切り紙２２０は、その一部に仕切り識別情報又は次の読取対象のレセプト情報が記載されている。前記仕切り識別情報又は前記レセプト情報は、図１０に示すようにバーコード２２１で表示される。また、前記仕切り識別情報又は前記レセプト情報は、他の画像で表示されてもよい。
【００４９】
図９に示すように、本発明の実施の形態２に係る読取装置２００の給紙装置２１０は、紙搬送装置１３１と、紙搬送路１３２に配置されている仕切り紙検出装置２１１と、紙搬送制御装置２１２と、を具備している。紙搬送制御装置２１２は、紙搬送装置１３１および仕切り紙検出装置２１１に接続されている。また、紙搬送制御装置２１２は、操作入力装置１２０に接続されている。
【００５０】
仕切り紙検出装置２１１は、紙搬送装置１３１により搬送される紙が仕切り紙２２０であることを仕切り識別情報又はレセプト情報に基づいて検出して仕切り紙検出信号を生成して紙搬送制御装置２１２に与える。紙搬送制御装置２１２は、仕切り紙検出装置２１１からの仕切り紙検出信号を受けたときに紙搬送装置１３１の搬送動作を停止させる。
【００５１】
次に、本発明の実施の形態２に係る読取装置２００の給紙装置２１０の動作を図９および図１１に基づいて詳細に説明する。図１１は、本発明の実施の形態２に係る読取装置２００の給紙装置２１０の動作を説明するためのフローチャートである。
【００５２】
図１１に示すように、ステップＳＴ２０１において、紙搬送制御装置２１２は、操作入力装置１２０からの読取開始信号を受けたかを判断する。紙搬送制御装置２１２は、操作入力装置１２０からの読取開始信号を受けたときに、紙搬送装置１３１をＯＮとしてこの紙搬送装置１３１に紙の搬送動作を開始させる（ステップＳＴ２０２）。
【００５３】
次に、ステップＳＴ２０３において、紙搬送制御装置２１２は、仕切り紙検出装置２１１からの仕切り紙検出信号を受けたかを判断する。紙搬送制御装置２１２は、仕切り紙検出装置２１１からの仕切り紙検出信号を受けてないときに、ステップＳＴ２０２に戻って紙搬送装置１３１に紙の搬送動作を維持させる。一方、紙搬送制御装置２１２は、仕切り紙検出装置２１１からの仕切り紙検出信号を受けたときに、紙搬送装置１３１をＯＦＦとして（ステップＳＴ２０４）紙搬送装置１３１に紙の搬送動作を停止させてから、ステップＳＴ２０１へ戻る。
【００５４】
本発明の実施の形態２において、仕切り紙２２０に次の読取対象のレセプト情報が記載されている場合には、操作者が操作入力装置１２０を操作して次の読取対象のレセプト情報を入力する作業を省略することができるから、読取処理の速度をより増大させて、作業の処理速度、処理の能力、および作業効率を向上させることができる。
【産業上の利用可能性】
【００５５】
本発明は、レセプト１６０，１６１や帳票紙等の書類に記載された情報の読取処理の速度を増大することができる効果を有し、読取装置１００，２００の給紙装置および読取装置１００，２００における給紙方法に有用である。
【図面の簡単な説明】
【００５６】
【図１】本発明の実施の形態１に係る読取装置の構成を示す概略図である。
【図２】本発明の実施の形態１に係る読取装置の給紙装置の構成を示すブロック図である。
【図３】本発明の実施の形態１に係る読取装置の給紙装置における紙載置台を拡大して示す図である。
【図４】本発明の実施の形態１に係る読取装置において用いられる仕切り紙の１例を示す平面図である。
【図５】本発明の実施の形態１に係る読取装置において用いられる仕切り紙の他の例を示す平面図である。
【図６】本発明の実施の形態１に係る読取装置において用いられる仕切り紙のさらに他の例を示す平面図である。
【図７】本発明の実施の形態１に係る読取装置の給紙装置の動作を説明するためのフローチャートである。
【図８】本発明の実施の形態２に係る読取装置の構成を示す概略図である。
【図９】本発明の実施の形態２に係る読取装置の給紙装置の構成を示すブロック図である。
【図１０】本発明の実施の形態２に係る読取装置において用いられる仕切り紙の１例を示す平面図である。
【図１１】本発明の実施の形態２に係る読取装置の給紙装置の動作を説明するためのフローチャートである。
【符号の説明】
【００５７】
１００，２００  読取装置
１１０  紙載置台
１２０  操作入力装置
１３０，２１０  給紙装置
１３１  紙搬送装置
１３２  紙搬送路
１３３  紙重送検出装置
１３４，２１２  紙搬送制御装置
１４０  読取ユニット（ＯＣＲユニット）
１５０  排出ポケット
２１１  仕切り紙検出装置
【図１】
2008222369.tif 000003
【図２】
2008222369.tif 000004
【図３】
2008222369.tif 000005
【図４】
2008222369.tif 000006
【図５】
2008222369.tif 000007
【図６】
2008222369.tif 000008
【図７】
2008222369.tif 000009
【図８】
2008222369.tif 000010
【図９】
2008222369.tif 000011
【図１０】
2008222369.tif 000012
【図１１】
2008222369.tif 000013